(57)【要約】【課題】バッテリの寸法差が吸収可能とされ、端子の半田材が剥離されることや端子にクラックが発生されるといった不具合に対し、改良されたバッテリ接続プレートおよびその取付構造を提供する。【解決手段】配列された各バッテリに装着されるプレート本体１０と、このプレート本体１０に装備されると共に、バッテリと、電子部品２１０とを接続する端子６０と、この端子６０をプレート本体１０に装着させるカバー２０とを備え、バッテリと、電子部品２１０との位置ずれを吸収する寸法差吸収部６６が端子６０に設けられ、カバー２０がプレート本体１０に装着されることで、プレート本体１０に端子６０が仮付けされる。前記端子６０の前記寸法差吸収部６６は、端子本体６１に設けられた切欠き部６７と、端子本体６１から延設された可撓性脚部６６とを備える。【選択図】　　　図１
2004095381.tif 000002
【特許請求の範囲】
【請求項１】
配列された各バッテリに装着されるプレート本体と、該プレート本体に装備されると共に、該バッテリと、電子部品とを接続する端子と、該端子を該プレート本体に装着させるカバーとを備え、該バッテリと、該電子部品との位置ずれを吸収する寸法差吸収部が該端子に設けられ、該カバーが該プレート本体に装着されることで、該プレート本体に該端子が仮付けされることを特徴とするバッテリ接続プレート。
【請求項２】
前記端子の前記寸法差吸収部は、端子本体に設けられた切欠き部と、該端子本体から延設された可撓性脚部とを備えることを特徴とする請求項１記載のバッテリ接続プレート。
【請求項３】
前記端子の一端側に前記寸法差吸収部を構成する可撓性脚部が設けられて、該可撓性脚部に前記電子部品が接続され、該端子の他端側に電気接触部を兼ねた端子本体が設けられて、該端子本体に前記バッテリが接続されることを特徴とする請求項１又は２記載のバッテリ接続プレート。
【請求項４】
前記電子部品の一方のリード端子が前記端子と接続され、且つ、該電子部品の他方のリード端子が他の端子と接続されて、該端子から該他の端子にかけて通電可能な状態とされたことを特徴とする請求項１〜３の何れか１項に記載のバッテリ接続プレート。
【請求項５】
前記プレート本体にカバー収容部が設けられ、前記カバーに対応した他のカバーが該カバー収容部内に装着され、該他のカバー上に、前記端子の可撓性脚部と、前記他の端子とが位置すると共に、該端子の該可撓性脚部および該他の端子が位置する該カバー収容部に該カバーが装着されることで、該端子と、該他の端子とが、該プレート本体に装着されたことを特徴とする請求項４記載のバッテリ接続プレート。
【請求項６】
前記プレート本体の前記カバー収容部に停止部が設けられ、該停止部に前記他のカバーが当接されることで、該プレート本体に該他のカバーが装着されたことを特徴とする請求項５記載のバッテリ接続プレート。
【請求項７】
前記プレート本体に係止部が設けられ、該係止部に対応して前記カバーに係合部が設けられ、該係止部と、該係合部とが係り合わされることで、該プレート本体に該カバーが装着されたことを特徴とする請求項１〜６の何れか１項に記載のバッテリ接続プレート。
【請求項８】
前記端子と、前記電子部品とは、半田付けにより接続されたことを特徴とする請求項１〜７の何れか１項に記載のバッテリ接続プレート。
【請求項９】
前記他の端子と、前記電子部品とは、半田付けにより接続されたことを特徴とする請求項４〜８の何れか１項に記載のバッテリ接続プレート。
【請求項１０】
前記電子部品として、前記バッテリから発せられる過大電流に対応可能な過電流防止用抵抗素子が用いられたことを特徴とする請求項１〜９の何れか１項に記載のバッテリ接続プレート。
【請求項１１】
各前記バッテリ間を接続し且つ前記端子と接続するバスバーが前記プレート本体に備えられ、該バスバーの略中央に支点部が設けられると共に一対の電気接触部が該バスバーに設けられ、該支点部に対応して該プレート本体に支持部が設けられ、該プレート本体に該バスバーが載置されて、該支点部と、該支持部とが合わせられた際に、一方の電気接触部は該プレート本体の基壁に当接され、且つ、他方の電気接触部は該基壁に対し非接触の状態とされたことを特徴とする請求項１〜１０の何れか１項に記載のバッテリ接続プレート。
【請求項１２】
請求項１１記載のバッテリに、雄ねじ部を兼ねた電極が設けられ、該電極に対応して、請求項１１記載のプレート本体と、バスバーと、端子とに、挿通孔が設けられ、各挿通孔が合わせられると共に各挿通孔に該電極が通されて、該雄ねじ部を兼ねた該電極に雌ねじ部を備えるナットが螺合されることで、各バッテリに対し該プレート本体が固定されると共に、該端子と、該バスバーとが、該プレート本体に固定されることを特徴とするバッテリ接続プレートの取付構造。
【発明の詳細な説明】
【０００１】
【発明の属する技術分野】
本発明は、例えば電気自動車などのバッテリに装着されるバッテリ接続プレートおよびその取付構造に関するものである。
【０００２】
【従来の技術】
図７は、従来のバッテリ接続プレートの一形態を示すものである（特開２０００−３３３３４３公報参照）。
プレート本体５０２に端子５０５やバスバー５０９をインサート成形し、端子５０５をバッテリの電極にねじ締め接続する構造のバッテリ接続プレート５０１とされている。また、プレート本体５０２に対して、回動自在とされるカバー５０４がプレート本体５０２に設けられている。
【０００３】
【発明が解決しようとする課題】
しかしながら、上記従来のバッテリ接続プレート５０１にあっては、例えばプレート本体５０２に、各バッテリの寸法公差を吸収させるということは、困難なものとされていた。
【０００４】
また、例えば端子５０５に、各バッテリの寸法公差を吸収させようとした場合、端子にクラックが発生されることが心配されていた。また、端子５０５の電子部品装着部５１０に電子部品が半田付けされるから、端子５０５に、各バッテリの寸法公差を吸収させようとすると、半田部が剥離されることや、半田部にクラックが生じるといったことが懸念されていた。
【０００５】
本発明は、上記した点に鑑み、バッテリの寸法差が吸収可能とされ、端子の半田材が剥離されることや端子にクラックが発生されるといった不具合に対し、改良されたバッテリ接続プレートおよびその取付構造を提供することを目的とする。
【０００６】
【課題を解決するための手段】
上記目的を達成するために、本発明の請求項１に係るバッテリ接続プレートは、配列された各バッテリに装着されるプレート本体と、該プレート本体に装備されると共に、該バッテリと、電子部品とを接続する端子と、該端子を該プレート本体に装着させるカバーとを備え、該バッテリと、該電子部品との位置ずれを吸収する寸法差吸収部が該端子に設けられ、該カバーが該プレート本体に装着されることで、該プレート本体に該端子が仮付けされることを特徴とする。
上記構成により、バッテリと、電子部品との位置ずれは、端子に設けられた寸法差吸収部によって確実に吸収されることとなる。従って、端子にクラックが発生される心配のないバッテリ接続プレートが提供されることとなる。
【０００７】
請求項２に係るバッテリ接続プレートは、請求項１に係るバッテリ接続プレートにおいて、前記端子の前記寸法差吸収部は、端子本体に設けられた切欠き部と、該端子本体から延設された可撓性脚部とを備えることを特徴とする。
上記構成により、バッテリと、電子部品との位置ずれは、端子に設けられた可撓性脚部が撓まされることにより確実に吸収されることとなる。
【０００８】
請求項３に係るバッテリ接続プレートは、請求項１又は２に係るバッテリ接続プレートにおいて、前記端子の一端側に前記寸法差吸収部を構成する可撓性脚部が設けられて、該可撓性脚部に前記電子部品が接続され、該端子の他端側に電気接触部を兼ねた端子本体が設けられて、該端子本体に前記バッテリが接続されることを特徴とする。
上記構成により、端子本体にクラックが生じることなく、バッテリから端子を介して電子部品に至るまで、長期に亘って確実に通電可能に接続されることとなる。
【０００９】
請求項４に係るバッテリ接続プレートは、請求項１〜３の何れか１項に係るバッテリ接続プレートにおいて、前記電子部品の一方のリード端子が前記端子と接続され、且つ、該電子部品の他方のリード端子が他の端子と接続されて、該端子から該他の端子にかけて通電可能な状態とされたことを特徴とする。
上記構成により、例えばバッテリから流される電気に変化が生じた際に、端子と、他の端子との間に介在される電子部品により、バッテリの状態が検知されることとなる。
【００１０】
請求項５に係るバッテリ接続プレートは、請求項４に係るバッテリ接続プレートにおいて、前記プレート本体にカバー収容部が設けられ、前記カバーに対応した他のカバーが該カバー収容部内に装着され、該他のカバー上に、前記端子の可撓性脚部と、前記他の端子とが位置すると共に、該端子の該可撓性脚部および該他の端子が位置する該カバー収容部に該カバーが装着されることで、該端子と、該他の端子とが、該プレート本体に装着されたことを特徴とする。
上記構成により、端子と、他の端子とは、カバーと、他のカバーとの間に位置することとなる。従って、端子と、他の端子とは、カバーと、他のカバーとに囲まれて保護されることとなる。
【００１１】
請求項６に係るバッテリ接続プレートは、請求項５に係るバッテリ接続プレートにおいて、前記プレート本体の前記カバー収容部に停止部が設けられ、該停止部に前記他のカバーが当接されることで、該プレート本体に該他のカバーが装着されたことを特徴とする。
上記構成により、他のカバーは、プレート本体のカバー収容部内に、位置決めされた状態で装着されることとなる。また、プレート本体のカバー収容部に設けられた停止部により、他のカバーがプレート本体から抜け落されて他のカバーが見失われるといった不具合の発生は、未然に防止されることとなる。
【００１２】
請求項７に係るバッテリ接続プレートは、請求項１〜６の何れか１項に係るバッテリ接続プレートにおいて、前記プレート本体に係止部が設けられ、該係止部に対応して前記カバーに係合部が設けられ、該係止部と、該係合部とが係り合わされることで、該プレート本体に該カバーが装着されたことを特徴とする。
上記構成により、プレート本体に対し、カバーは確実に装着されることとなる。また、プレート本体に設けられた係止部に、カバーに設けられた係合部が係り合わされることで、プレート本体と、カバーとの間に位置する端子は、プレート本体に仮組付けされた状態に維持されることとなる。
【００１３】
請求項８に係るバッテリ接続プレートは、請求項１〜７の何れか１項に係るバッテリ接続プレートにおいて、前記端子と、前記電子部品とは、半田付けにより接続されたことを特徴とする。
上記構成により、半田材により、端子と、電子部品とは、確実に繋ぎ止められて通電可能に接続されることとなる。また、バッテリと、電子部品との位置ずれは、端子に設けられた寸法差吸収部により良好に吸収されるから、端子と電子部品とを繋ぐ半田材が剥離されるということは、未然に防止されることとなる。
【００１４】
請求項９に係るバッテリ接続プレートは、請求項４〜８の何れか１項に係るバッテリ接続プレートにおいて、前記他の端子と、前記電子部品とは、半田付けにより接続されたことを特徴とする。
上記構成により、半田材により、他の端子と、電子部品とは、確実に繋ぎ止められると共に通電可能に接続されることとなる。
【００１５】
請求項１０に係るバッテリ接続プレートは、請求項１〜９の何れか１項に係るバッテリ接続プレートにおいて、前記電子部品として、前記バッテリから発せられる過大電流に対応可能な過電流防止用抵抗素子が用いられたことを特徴とする。
上記構成により、例えば、バッテリに充電が行われる際や、バッテリから電気が流される際に、バッテリに過電流が生じるなどの異常が発生されたことが、過電流防止用抵抗素子によって検出されることとなる。
【００１６】
請求項１１に係るバッテリ接続プレートは、請求項１〜１０の何れか１項に係るバッテリ接続プレートにおいて、各前記バッテリ間を接続し且つ前記端子と接続するバスバーが前記プレート本体に備えられ、該バスバーの略中央に支点部が設けられると共に一対の電気接触部が該バスバーに設けられ、該支点部に対応して該プレート本体に支持部が設けられ、該プレート本体に該バスバーが載置されて、該支点部と、該支持部とが合わせられた際に、一方の電気接触部は該プレート本体の基壁に当接され、且つ、他方の電気接触部は該基壁に対し非接触の状態とされたことを特徴とする。
上記構成により、プレート本体が用いられると共に、バスバーを介して各バッテリ間が通電可能に接続される際に、各バッテリ間の寸法差は、プレート本体に備えられたバスバーによって確実に吸収されることとなる。従って、配列された各バッテリに対し、プレート本体は、容易に精度良く装着されると共に、バスバーにより、各バッテリ間は、確実に通電可能に接続されることとなる。
【００１７】
請求項１２に係るバッテリ接続プレートの取付構造は、請求項１１記載のバッテリに、雄ねじ部を兼ねた電極が設けられ、該電極に対応して、請求項１１記載のプレート本体と、バスバーと、端子とに、挿通孔が設けられ、各挿通孔が合わせられると共に各挿通孔に該電極が通されて、該雄ねじ部を兼ねた該電極に雌ねじ部を備えるナットが螺合されることで、各バッテリに対し該プレート本体が固定されると共に、該端子と、該バスバーとが、該プレート本体に固定されることを特徴とする。
上記構成により、上記バッテリ接続プレートによって、各バッテリは、配列された状態で確実に組立てられると共に、各バッテリ間は、プレート本体に備えられたバスバーによって容易で確実に通電可能に接続され、しかも、電子部品と接続された端子がバッテリの電極に固定されることとなる。また、電子部品が接続された端子と、この端子をプレート本体に装着させるカバーと、各バッテリ間を接続し且つ端子と接続するバスバーと、前記端子と、前記カバーと、前記バスバーとが装着されるプレート本体とを少なくとも備えるバッテリ接続プレートが用いられて、各バッテリが組立てられるから、各バッテリの組付け作業は、容易で迅速に行われることとなる。従って、各バッテリの組立工程の作業効率が向上されることとなる。
【００１８】
【発明の実施の形態】
以下に本発明に係るバッテリ接続プレートおよびその取付構造の実施形態を図面に基づいて詳細に説明する。
図１は、本発明に係るバッテリ接続プレートの一実施形態を示す斜視図、図２は、同じくバッテリ接続プレートおよびその取付構造の一実施形態を示す縦断面図であり、図１に示されるナットの周辺近傍部における説明図である。図３は、端子を示す斜視図、図４は、カバーと他のカバーと電子部品とに関する他の実施形態を示す分解斜視図、図５は、同じくカバーと他のカバーとに端子が取付けられて電子部品が備えられる状態を示す縦断面図、図６は、図１に示されるＴ部の他の実施形態を示す拡大斜視図である。
【００１９】
図１および図２に基づいて、バッテリ接続プレートの上下方向について説明すると、バッテリ接続プレート１を構成するプレート本体１０に対し、ナット１００が位置する側を上側とし、プレート本体１０を形成する基壁１０ｂ側を下側とする。なお、この明細書における「上下」の定義は便宜上のものであり、必ずしもバッテリ接続プレートおよびその取付構造の実使用時における方向と一致するものではない。
【００２０】
図１および図２の如く、バッテリ接続プレート１は、縦横方向に配列された各バッテリ４００（図２）に装着されるプレート本体１０と、このプレート本体１０に装備されると共に、バッテリ４００と、電子部品２１０とを接続する端子６０と、端子６０をプレート本体１０に装着させるカバー２０とを備えるものとして構成されている。
【００２１】
図１の如く、プレート本体１０は、基壁１０ｂと、基壁１０ｂの外周部に立設された周壁１０ａと、基壁１０ｂ上に立設された各ガイド壁１１ａ〜１１ｋ，１１ｍとを備えるものとして形成され、合成樹脂材が用いられて、前記基壁１０ｂと、前記周壁１０ａと、前記各ガイド壁１１ａ〜１１ｋ，１１ｍとが一体成形されたものである。
【００２２】
耐食性が向上されるために、金属製の各バスバー５０Ａ〜５０Ｈに、錫鍍金などのメッキ処理が施されている。また、金属製の各バスバー５０Ａ〜５０Ｈは、各ガイド壁１１ａ〜１１ｈに案内されて各収容部内に備えられている。また、金属製の各端子６０は、各ガイド壁１１ｉによって案内されて、各バスバーが装着された各収容部内へ備えられている。合成樹脂製の各カバー２０および各他のカバー３０は、各ガイド壁１１ｊに案内されて各収容部内に装着されている。
【００２３】
また、前記カバー２０と、前記他のカバー３０との間に、他の端子７０が備えられている。他の端子７０は、電線８０と接続されている。各電線８０は、周壁１０ａと、各方向へ延長形成された各ガイド壁１１ｋと、ガイド壁１１ｋとガイド壁１１ｋとの間に位置する矩形小板状の各ガイド壁１１ｍとに案内されてプレート本体１０に装着されている。
【００２４】
図１および図２の如く、本発明の一実施形態で用いられる合成樹脂製の上側カバー２０は、略矩形箱状をした周壁２１と、この周壁２１内に交差されて設けられた複数の隔壁２２ａ，２２ｂとを備えるものとして形成され、矩形箱状をした各収容部２３ａ，２３ｄ（図１）が設けられている。また、上側カバー２０の開口部２３ｂから挿通部２３ｃにかけて貫通されている。
【００２５】
また、図２の如く、本発明の一実施形態で用いられる合成樹脂製の下側カバー３０は、略矩形箱状をした周壁３１と、この周壁３１内に設けられた隔壁３２ａとを備えるものとして形成され、矩形箱状をした各収容部３３ａなどが設けられている。
【００２６】
また、図４および図５の如く、本発明の他の実施形態で用いられる合成樹脂製の上側カバー２０Ｉ　は、略矩形箱状をした周壁２１Ｉ　と、この周壁２１Ｉ　内に交差されて設けられた複数の隔壁２２ａＩ　，２２ｂＩ（図４）　とを備えるものとして形成され、矩形箱状をした各収容部２３ａＩ　，２３ｄＩ　が設けられている。また、周壁２１Ｉ　に厚肉部２１ａが設けられている。図１および図２に示される上側カバー２０と、図４および図５に示される上側カバー２０Ｉ　とは、各係合部２４，２４Ｉ　の総数や、厚肉部２１ａ（図４，図５）の有無を除いて略同じ構成のものとされている。
【００２７】
また、図４および図５の如く、本発明の他の実施形態で用いられる合成樹脂製の下側カバー３０Ｉ　は、略矩形箱状をした周壁３１Ｉ　と、この周壁３１Ｉ　内に設けられた隔壁３２ａＩ　とを備えるものとして形成され、矩形箱状をした各収容部３３ａＩ　などが設けられている。図１および図２に示される下側カバー３０と、図４および図５に示される下側カバー３０Ｉ　とは、係止部３４Ｉ（図４）　の有無を除いて略同じ構成のものとされている。
【００２８】
図２の如く、上側カバー２０の収容部２３ａと、下側カバー３０の収容部３３ａとに、過電流防止用抵抗素子２１０などの電子部品２１０が位置するものとされている。また、図４の如く、下側カバー３０に設けられた係止突起状の一対の係止部３５に、他の端子７０の電線接続部７８が係止めされることで、上側カバー２０Ｉ　に設けられた矩形状の小さい収容部２３ｄＩ　に、他の端子７０の電線接続部７８が位置するものとされている。
【００２９】
また、電子部品２１０，２２０として、電圧検出素子などが挙げられる。具体的に説明すると、電子部品２１０，２２０として、過電流防止用抵抗素子２１０，２２０が用いられている。
【００３０】
図２の如く、各バッテリ４００は、縦横各方向に向けて整列されている。配列された各バッテリ４００の上下の寸法公差は、±０．１ｍｍ程度とされている。このような複数のバッテリ４００を一つの電池としてまとめるために、複数のバッテリ４００にプレート本体１０が装着される。
【００３１】
各バッテリ４００は、バッテリ４００の電極４０５同士を通電可能に接続させる金属製のバスバー５０Ａ，５０Ｂ（図１）などにより、通電可能に直列に接続される。図１の如く、バスバー５０Ａよりもバスバー５０Ｂの方が横長に形成されているが、その他の部分は、バスバー５０Ａと、バスバー５０Ｂとは、略一致した形状のものとされている。また、バスバー５０Ｇは、マイナス（−）側の電極とされるバスバーとされ、バスバー５０Ｈは、プラス（＋）側の電極とされるバスバーとされている。また、符号５０ＬＡは、端子６０からほかの部分へ通電可能に接続される別の端子５０ＬＡとされている。
【００３２】
各バスバー５０Ａ〜５０Ｈは、各ガイド壁１１ａ〜１１ｈに設けられた各係止部１４ｐ〜１４ｖにより、プレート本体１０に確実に係止めされている。また、各電線８０は、周壁１０ａや、各ガイド壁１１ｋ，１１ｍに設けられた各係止部１４ｗにより、プレート本体１０に係止めされている。各係止部１４，１４ｐ〜１４ｖは、係止面と、傾斜摺接面とを備えるものとして形成されている。
【００３３】
図３の如く、端子６０は、略矩形平板状をした金属製のものとされている。また、バッテリ４００（図２）と、電子部品２１０との位置ずれを吸収する寸法差吸収部６６（図１〜図３）が、端子６０に設けられている。寸法差吸収部６６は、各バッテリ４００や、端子６０などの寸法公差や、プレート本体１０に対する各バッテリ４００や、各端子６０や、各電子部品２１０などの取付誤差を吸収する役割を果すものとされている。このように、寸法差吸収部６６は、寸法公差や、取付誤差などの寸法差を吸収するものとされている。また、カバー２０がプレート本体１０に組付けられることにより、プレート本体１０に前記端子６０が仮固定の状態で取付けられる。
【００３４】
このような端子６０が用いられることにより、バッテリ４００と、電子部品２１０との位置ずれは、端子６０の寸法差吸収部６６によって確実に吸収されることとなる。従って、端子６０にクラックが発生される心配のないバッテリ接続プレート１が提供されることとなる。
【００３５】
図３の如く、端子６０に設けられた前記寸法差吸収部６６は、略矩形状をした端子本体６１に設けられた細長い略クランク状の切欠き部６７と、前記端子本体６１から延設された細長い略クランク状の可撓性脚部６６とを備えるものとして構成されている。図２の如く、バッテリ４００と、電子部品２１０との上下方向の位置ずれは、端子６０に設けられた細長い可撓性脚部６６が撓まされることにより確実に吸収されることとなる。
【００３６】
前記可撓性脚部６６は、根元部６６ｂから真直部６６ｃ、各曲部６６ｄ，６６ｅ、各折り曲げ部６６ｆ，６６ｇを経て先端部６６ａまで延設されている。前記可撓性脚部６６の端部に、電子部品２１０，２２０のリード端子２１６，２２６が通される径の小さい挿通孔６６ｈが設けられている。また、略矩形状をした端子本体６１に、バッテリ４００に設けられた雄ねじ状の電極４０５が通される径の大きい挿通孔６５が設けられている。
【００３７】
また、略矩形板状に形成された端子本体６１や、略クランク状に形成された可撓性脚部６６に、複数の面取り部６１ａ，６６ｉが設けられている。各面取り部６１ａ，６６ｉは、直線状にカットされたＣ面取り部とされている。なお、各面取り部は、曲線状にカットされたＲ面取り部として加工されていてもよい。各面取り部６１ａ，６６ｉは、端子６０に応力集中が発生されることを防止させると共に、端子６０を取り扱う作業者が不用意に怪我をするといった不具合の発生を未然に防止するために、端子６０に設けられたものとされている。上記端子６０は、例えば端子金具素材（図示せず）に打抜き加工や、曲げ加工などのプレス加工が行われて形成されたものである。
【００３８】
図３の如く、検出用端子６０の一端側に寸法差吸収部６６を構成する可撓性脚部６６が設けられている。また、図２の如く、前記可撓性脚部６６と、電子部品２１０の一方のリード端子２１６とが通電可能に接続される。また、図３の如く、検出用端子６０の他端側に電気接触部６１を兼ねた端子本体６１が設けられている。
【００３９】
図２の如く、前記端子本体６１と、バッテリ４００の本体４０１から突出された電極４０５とが通電可能に接続される。端子本体６１は、電気接触部６１としての役割を果すものとされている。このようにすることで、端子本体６１にクラックが生じることなく、バッテリ４００から検出用端子６０を介して電子部品２１０に至るまで、長期に亘って確実に通電可能に接続されることとなる。
【００４０】
図２の如く、半田材３００により、電子部品２１０の本体２１１から突出された一方のリード端子２１６と、検出用端子６０の可撓性脚部６６とが接続されている。また、半田材３００により、電子部品２１０の他方のリード端子２１７と、他の端子７０の先端部７７ａ（図１，図２）とが接続される。これにより、検出用端子６０から他の端子７０にかけて通電可能な状態となる。
【００４１】
また、図４の如く、電子部品２２０の本体２２１から突出された一方のリード端子２２６は、半田材によって検出用端子６０の可撓性脚部６６と接続される。また、電子部品２２０の他方のリード端子２２７は、半田材によって他の端子７０の先端部７７ａと接続される。これにより、検出用端子６０から他の端子７０にかけて通電可能な状態となる。
【００４２】
このようにすることで、例えばバッテリ４００（図２）から流される電気に変化が生じた際に、検出用端子６０と、他の端子７０との間に介在される電子部品２１０（図２），２２０（図４）により、バッテリ４００（図２）の状態が検知されることとなる。
【００４３】
図１，図４に示される電子部品２１０，２２０は、例えば約７０ｍＡの電流値を境に電流の変化が検知される過電流防止用抵抗素子２１０，２２０とされている。図１に示される過電流防止用抵抗素子２１０に代えて、例えば図４に示される過電流防止用抵抗素子２２０が、図１に示されるカバー２０および他のカバー３０に備えられてもよい。また、図４に示される過電流防止用抵抗素子２２０に代えて、図１に示される過電流防止用抵抗素子２１０が、図４に示されるカバー２０Ｉ　および他のカバー３０Ｉ　に備えられてもよい。
【００４４】
図２の如く、プレート本体１０にカバー収容部１２が設けられている。また、上側カバー２０に対応した下側カバー３０が、カバー収容部１２の下方側に装着されている。下側カバー３０上に、検出用端子６０の可撓性脚部６６と、他の端子７０（図１，図２）とが位置するものとされている。また、検出用端子６０の可撓性脚部６６の先端部６６ａおよび他の端子７０が位置するカバー収容部１２の上方側に、上側カバー２０が装着されることで、検出用端子６０と、他の端子７０とが、プレート本体１０に装着される。
【００４５】
このようにすることで、検出用端子６０と、他の端子７０とは、上側カバー２０と、下側カバー３０との間に位置することとなる。従って、検出用端子６０と、他の端子７０とは、上側カバー２０と、下側カバー３０とに囲まれて保護されることとなる。また、図２の如く、上側カバー２０の下部に設けられた押え部２６ａ，２６ｂにより、検出用端子６０の可撓性脚部６６の先端部６６ａと、他の端子７０の先端部７７ａとは、上側カバー２０と、下側カバー３０との間に確実に備えられることとなる。
【００４６】
プレート本体１０に設けられた略矩形箱状のカバー収容部１２の下部四隅に停止部１３（図２）が突設されている。下側カバー３０を形成する略矩形箱状をした周壁３１の下部四隅が、カバー収容部１２の下部四隅に突設された停止部１３に当接されることで、プレート本体１０に下側カバー３０が装着される。
【００４７】
このような停止部１３がプレート本体１０のカバー収容部１２の下部四隅に突設されていれば、下側カバー３０は、プレート本体１０に設けられた略矩形箱状のカバー収容部１２内に、位置決めされた状態で装着されることとなる。また、プレート本体１０に設けられた略矩形箱状のカバー収容部１２の下部四隅に設けられた停止部１３により、下側カバー３０がプレート本体１０から抜け落されて下側カバー３０が見失われるといった不具合の発生は、未然に防止されることとなる。また、プレート本体１０のカバー収容部１２の上方側に設けられた一対の係止部１４により、カバー収容部１２の上方から下側カバー３０が抜け出されるということは防止されている。
【００４８】
図２の如く、プレート本体１０のカバー収容部１２内に、係止面１４ａと、摺接面１４ｂと、傾斜摺接面１４ｃとを備える一対の係止部１４が設けられている。前記一対の係止部１４に対応して、カバー２０の周壁２１に、係合面２４ａを備える一対の係合部２４が設けられている。プレート本体１０のカバー収容部１２内に設けられた係止突出部を備える一対の係止部１４と、カバー２０の周壁２１に設けられた係合凹部を備える一対の係合部２４とが係り合わされることで、図１の如く、プレート本体１０にカバー２０が装着される。
【００４９】
その際に、プレート本体１０のカバー収容部１２内に設けられた係止部１４の係止面１４ａと、カバー２０の周壁２１に設けられた係合部２４の係合面２４ａとが当接されることで、プレート本体１０に対し、カバー２０は確実に係止される。
【００５０】
このようにすることで、プレート本体１０に対し、カバー２０は確実に装着されることとなる。また、プレート本体１０のカバー収容部１２内に設けられた一対の係止部１４に、カバー２０の周壁２１に設けられた一対の係合部２４が係り合わされることで、プレート本体１０と、カバー２０との間に位置する端子６０は、プレート本体１０に仮組付けされた状態に維持されることとなる。
【００５１】
また、図４の如く、下側カバー３０Ｉ　に、係止面３４ａＩ　と、摺接面３４ｂＩ　と、傾斜摺接面３４ｃＩ　とを備える三箇所の係止部３４Ｉ　が設けられている。この係止部３４Ｉ　に対応して、上側カバー２０Ｉ　の周壁２１Ｉ　に、係合面２４ａＩ　を備える三箇所の係合部２４Ｉ　が設けられている。上側カバー２０Ｉ　の周壁２１Ｉ　に設けられた係合凹部を備える三箇所の係合部２４Ｉ　と、下側カバー３０Ｉ　の周壁３１Ｉ　に設けられた係止突出部を備える三箇所の係止部３４Ｉ　とが係り合わされることで、下側カバー３０Ｉ　に上側カバー２０Ｉ　が組付けられる。
【００５２】
その際に、上側カバー２０Ｉ　の周壁２１Ｉ　に設けられた係合部２４Ｉ　の係合面２４ａＩ　と、下側カバー３０Ｉ　の周壁３１Ｉ　に設けられた係止部３４Ｉ　の係止面３４ａＩ　とが当接されることで、下側カバー３０Ｉ　に対し、上側カバー２０Ｉ　は確実に係止される。このような形態ものも使用可能とされる。また、図２に示される形状をした係止部１４に代えて、例えば図４に示される形状をした係止部　（３４Ｉ）が、図２に示されるプレート本体（１０）に設けられたものも使用可能とされる。
【００５３】
さらに、図１および図２に示されるプレート本体（１０）に対し、同じく図１および図２に示される下側カバー（３０）、又は、図４および図５に示される下側カバー　（３０Ｉ）が一体とされたものも使用可能とされる。詳しく説明すると、同材質の合成樹脂材が用いられて、図１および図２に示されるプレート本体（１０）と、同じく図１および図２に示される下側カバー（３０）または図４および図５に示される下側カバー　（３０Ｉ）とが、一つのものとして一体成形されたプレート本体も使用可能とされる。
【００５４】
図２の如く、端子６０の可撓性脚部６６と、電子部品２１０の一方のリード端子２１６とは、半田付けにより通電可能に接続されている。半田材３００により、端子６０の可撓性脚部６６と、電子部品２１０の一方のリード端子２１６とは、確実に繋ぎ止められて通電可能に接続される。
【００５５】
また、バッテリ４００と、電子部品２１０との上下方向の位置ずれは、端子６０に設けられた可撓性脚部６６により良好に吸収されるから、端子６０の可撓性脚部６６と、電子部品２１０の一方のリード端子２１６とを繋ぐ半田材３００が剥離されるということは、未然に防止されることとなる。
【００５６】
電子部品２１０に突設された一方のリード端子２１６が、端子６０を形成する可撓性脚部６６の先端部６６ａ（図３）に設けられた小孔６６ｈ（図３）に挿通されて半田付けが行われる。図４を用いて説明すると、電子部品２２０に突設された一方のリード端子２２６が、端子６０を形成する可撓性脚部６６の先端部６６ａに設けられた小孔６６ｈに挿通されて半田付けが行われる。
【００５７】
また、図２の如く、他の端子７０と、電子部品２１０の他方のリード端子２１７とは、半田付けにより通電可能に接続される。半田材３００により、他の端子７０と、電子部品２１０の他方のリード端子２１７とは、確実に繋ぎ止められると共に通電可能に接続される。
【００５８】
電子部品２１０に突設された他方のリード端子２１７が、他の端子７０の先端部７７ａに設けられた小孔に挿通されて半田付けが行われる。図４を用いて説明すると、電子部品２２０に突設された他方のリード端子２２７が、他の端子７０の先端部７７ａに設けられた小孔７７ｈに挿通されて半田付けが行われる。
【００５９】
上記半田付けの方法は、各方法により行われることが可能とされるが、カバー２０，２０Ｉ　および他のカバー３０，３０Ｉ　に、電子部品２１０，２２０が備えられた状態で半田付けの作業が行われると、容易で迅速に半田付け作業が行われることとなる。
【００６０】
即ち、図４および図５の如く、上側カバー２０Ｉ　と、下側カバー３０Ｉ　とが組付けられた状態において、上側カバー２０Ｉ　の開口部２３ｂＩ（図５）　から挿通部２３ｃＩ　にかけて電子部品２２０の本体２２１がカバー２０Ｉ　の収容部２３ａＩ　内に位置し、これと共に、電子部品２２０の一方のリード端子２２６が、端子６０の可撓性脚部６６の先端部６６ａに設けられた小孔６６ｈに挿通され、且つ、電子部品２２０の他方のリード端子２２７（図４）が他の端子７０の先端部７７ａに設けられた小孔７７ｈに挿通され、しかも、図５に示される下側カバー３０Ｉ　の収容部３３ａＩ　内に、電子部品２２０の一方のリード端子２２６と、他方のリード端子２２７（図４）とが位置するようにされることで、電子部品２２０は、上側カバー２０Ｉ　と、下側カバー３０Ｉ　とに位置合せされつつ備えられることとなる。
【００６１】
図４の如く、上側カバー２０Ｉ　の下部に設けられた押え部２６ａＩ　，２６ｂＩ　により、端子６０の可撓性脚部６６の先端部６６ａと、他の端子７０の先端部とは、位置決めされつつ、上側カバー２０Ｉ　と、下側カバー３０Ｉ　との間に確実に挟み込まれることとなる。
【００６２】
このような状態とされていれば、電子部品２２０の一方のリード端子２２６と、端子６０の可撓性脚部６６の先端部６６ａとの半田付け作業と、電子部品２２０の他方のリード端子２２７（図４）と、他の端子７０の先端部７７ａとの半田付け作業とは行われ易いものとなる。従って、バッテリ接続プレート１の製造工程の効率が向上される。半田材３００は、錫などが用いられた融点の低いろう付け用合金とされている。
【００６３】
また、図４の如く、他の端子７０の電線接続部７８に電線８０が圧着されて、他の端子７０と、電線８０とが、通電可能に接続されている。即ち、他の端子７０の電線接続部７８に設けられた各圧着片により電線８０が加締められて、他の端子７０と、電線８０とが、確実に通電可能に接続されている。また、図１および図４に示される各電線８０の絶縁被覆体は、何れのものも異なる色に設定されて、各電線８０は、一目で識別可能なものとされている。
【００６４】
各図に示された電子部品２１０（図１，図２），２２０（図４）として、例えばＰＴＣサーミスタなどが挙げられる。ＰＴＣとは「ｐｏｓｉｔｉｖｅ　ｔｅｍｐｅｒａｔｕｒｅ　ｃｏｅｆｆｉｃｉｅｎｔ」を意味するものとされている。ＰＴＣサーミスタは、温度が上昇すると抵抗が増加する特性を備えるものとされ、素子の温度がある値を超えると急激に抵抗が増加される。また、ＰＴＣサーミスタは、ある程度の電力に対応可能とされており、単に温度を検出するだけでなく、電力を直接制御するといった使用ができるものとされている。
【００６５】
ＰＴＣサーミスタは、ある温度以上になると、それ自身の電気抵抗が急激に高いものとなるから、電流が減少され温度が下げられる。また、少し温度が下げられると抵抗が急激に減少されるから、電流が流れて発熱され温度が上昇される。ＰＴＣサーミスタは、それ自身で発熱温度をある範囲内に抑制可能な自己制御型材料が用いられて構成されている。
【００６６】
バッテリや電気装置などの過電流保護のために用いられるＰＴＣサーミスタについて説明すると、このＰＴＣサーミスタは、これに流される電流が大きくなると、ジュール熱によってＰＴＣサーミスタの温度が上昇されるものであるから、その電流がある限度を超えたとき、ＰＴＣサーミスタの抵抗の増加によって、電流を抑制または遮断させる機能を備え持つものとされている。即ち、過電流保護用のＰＴＣサーミスタは、通常、一定の低い抵抗値の抵抗体として機能するが、過電流が流れると抵抗値が急激に増加し、電流を制限する。過電流保護用のＰＴＣサーミスタは、容易に復帰可能なヒューズとしての役割を果し、過電流防止用抵抗素子などとして取り扱われる。
【００６７】
図１および図２に示される電子部品２１０として、バッテリ４００（図２）から発せられる過大電流に対応可能な過電流防止用抵抗素子２１０が用いられた。同じく、図４に示される電子部品２２０として、バッテリから発せられる過大電流に対応可能な過電流防止用抵抗素子２２０が用いられた。
【００６８】
バッテリに装着されるバッテリ接続プレート１に過電流防止用抵抗素子が用いられることにより、例えば、充電器（図示せず）が用いられてバッテリ４００（図２）に充電が行われる際や、バッテリ４００から電気が流される際に、バッテリ４００に過電流が生じるなどの異常が発生されたことが、過電流防止用抵抗素子２１０によって確実に検出されることとなる。
【００６９】
予め設定された電圧に対応可能な過電流防止用抵抗素子２１０，２２０の具体例として、村田製作所製：ポジスタ（登録商標）などが挙げられる。例えば、バッテリ４００の最大電圧が略６Ｖのものとされていれば、過電流防止用抵抗素子として、過電流保護用ポジスタ６Ｖなどが用いられる。また、例えばバッテリ４００の最大電圧が略２４Ｖのものとされていれば、過電流防止用抵抗素子として、過電流保護用ポジスタ２４Ｖなどが用いられる。また、例えばバッテリ４００の最大電圧が略１２５Ｖのものとされていれば、過電流防止用抵抗素子として、過電流保護用ポジスタ１２５Ｖなどが用いられる。この他に、通常電流値や、異常電流値などに基づいて、バッテリ４００に用いられる過電流防止用抵抗素子が定められる。
【００７０】
図１および図２の如く、各バッテリ４００（図２）間を直列に接続し、且つ、端子６０と通電可能に接続するバスバー５０Ａ，５０Ｂが、プレート本体１０に備えられている。バスバー５０Ａ，５０Ｂの略中央に、略逆凹字状に形成された略湾曲状の支点部５８が設けられると共に、一対の電気接触部５１がバスバー５０Ａ，５０Ｂに設けられている。
【００７１】
金属製素材（図示せず）に打抜き加工や、曲げ加工などのプレス加工が行われ、バスバー５０Ａ，５０Ｂの略中心部に各折り曲げ部５８ａ，５８ｂが設けられることで、バスバー５０Ａ，５０Ｂに、略逆凹字状に形成された略湾曲状の支点部５８が設けられる。このようにすることで、バスバー５０Ａ，５０Ｂの支点部５８の剛性が向上される。また、図２の如く、バスバー５０Ａの支点部５８に対応して、プレート本体１０に支持部１８が突設されている。
【００７２】
プレート本体１０にバスバー５０Ａが載置されて、バスバー５０Ａの支点部５８と、プレート本体１０の支持部１８とが合わせられた際に、バスバー５０Ａの一方の電気接触部５１は、プレート本体１０の基壁１０ｂに当接され、且つ、バスバー５０Ａの他方の電気接触部５１は、プレート本体１０の基壁１０ｂに対し非接触の状態とされている。バスバー５０Ａ，５０Ｂは、ガタつかされた状態でプレート本体１０に装着される。
【００７３】
このようにすることで、プレート本体１０が用いられると共に、バスバー５０Ａ，５０Ｂを介して各バッテリ４００間が通電可能に接続される際に、各バッテリ４００間の上下方向の寸法公差は、プレート本体１０に備えられたバスバー５０Ａ，５０Ｂによって確実に吸収されることとなる。従って、配列された各バッテリ４００に対し、プレート本体１０は、容易に精度良く装着されると共に、バスバー５０Ａ，５０Ｂにより、各バッテリ４００間は、確実に通電可能に接続されることとなる。
【００７４】
ナット１００などの止具１００が用いられてバスバー５０Ａ，５０Ｂがプレート本体１０などに固定される前の状態は、プレート本体１０に設けられた支持部１８と、バスバー５０Ａ，５０Ｂの支点部５８（図２）とにより、バスバー５０Ａ，５０Ｂは、いわゆるシーソーの状態としてプレート本体１０に載置される。このようにすることにより、各バッテリ４００と、プレート本体１０との上下方向の寸法公差や、取付誤差などを吸収させることができる。また、各バッテリ４００間の寸法公差や寸法誤差は、バスバー５０Ａ，５０Ｂに設けられた一対の長孔５５によっても吸収可能とされる。
【００７５】
なお、バッテリ接続プレートの仕様により、例えばプレート本体（１０）に支持部（１８）が突設されず、また、バスバー（５０Ａ），（５０Ｂ）に支点部（５８）が設けられずに、略平板状をしたバスバー（５０Ａ），（５０Ｂ）が装備されたバッテリ接続プレートも使用可能とされる。
【００７６】
図２の如く、ナット１００は、六角柱状をした本体１０１と、平ワッシャ部１０３とを備え、前記本体１０１と、前記平ワッシャ部１０３とは、一体に形成されている。また、ナット１００の本体１０１に雌ねじ部１０５が設けられている。また、上記バッテリ４００の本体４０１の上側に、雄ねじ部４０５を兼ねた電極４０５が設けられている。この電極４０５に対応して、上記プレート本体１０の基壁１０ｂと、バスバー５０Ａの各電気接触部５１と、端子６０の電気接触部６１とに、挿通孔１５，５５，６５が設けられている。
【００７７】
前記各挿通孔１５，５５，６５が合わせられると共に各挿通孔１５，５５，６５にバッテリ４００の電極４０５が通されて、雄ねじ部４０５を兼ねた電極４０５に雌ねじ部１０５を備えるナット１００が螺合されることで、各バッテリ４００に対しプレート本体１０が固定されると共に、端子６０と、バスバー５０Ａとが、確実にプレート本体１０に固定される。
【００７８】
このようなバッテリ接続プレート１の取付構造とされることで、バッテリ接続プレート１によって、各バッテリ４００は、配列された状態で確実に組立てられる。また、これと共に、各バッテリ４００間は、プレート本体１０に備えられた各バスバー５０Ａによって容易で確実に通電可能に接続される。しかも、電子部品２１０と接続された端子６０が、バッテリ４００の電極４０５に固定されることとなる。
【００７９】
また、図１および図２の如く、電子部品２１０が接続された端子６０と、この端子６０をプレート本体１０に装着させるカバー２０と、各バッテリ４００（図２）間を直列に接続し且つ端子６０と通電可能に接続する各バスバー５０Ａ，５０Ｂと、前記端子６０と、前記カバー２０と、前記各バスバー５０Ａ，５０Ｂとが装着されるプレート本体１０とを少なくとも備えるバッテリ接続プレート１（図１）が用いられて、各バッテリ４００（図２）が互いに組付けられるから、各バッテリ４００の組付け作業は、容易で迅速に行われることとなる。従って、各バッテリ４００の組立工程の作業効率が向上されることとなる。
【００８０】
図２に示される各ナット１００の雌ねじ部１０５がバッテリ４００の各雄ねじ部４０５と完全に螺合された際に、一方のナット１００の平ワッシャ部１０３は、端子本体６１と当接され、他方のナット１００の平ワッシャ部１０３は、バスバー５０Ａの他方の電気接触部５１と当接される。また、その際に、折り曲げられて形成されたバスバー５０Ａの支点部５８がやや変形されて、バスバー５０Ａに設けられた一対の電気接触部５１は、共にプレート本体１０の基壁１０ｂに当接される。
【００８１】
図１の長円状をしたＴ部に示される一実施形態の連続状の上記電線用ガイド壁１１ｋに代えて、図６に示される他の実施形態での電線用ガイド壁１１ｋＩ　の如く、ガイド壁１１ｋの一部が取り除かれて、ガイド壁１１ｋＩ　が間隔をおいて配設されたプレート本体も使用可能とされる。このようにすることで、ガイド壁１１ｋと、ガイド壁１１ｋＩ　とは、離れて立設されると共に、ガイド壁１１ｋと、ガイド壁１１ｋＩ　との間に空間１１ｎができることとなる。これにより、プレート本体に対する電線８０の配索が容易に行われることとなる。また、係止突起状をした係止部１４ｗが容易にガイド壁１１ｋ，１１ｋＩ　に形成可能とされるために、プレート本体の基壁１０ｂに、係止部１４ｗ成形用の治具用抜き孔１１ｐが設けられている。
【００８２】
図６の如く、電線８０は、軟銅線がより合わされて構成された導体８１と、この導体８１を保護する塩化ビニル製の絶縁被覆体８２とを備えるものとして構成されている。また、図１の如く、集められた１２本の電線８０は、櫛歯状集束部１６で折返される。櫛歯状集束部１６は、合成樹脂製のプレート本体１０に設けられた１２本の溝１６ｂと、それらの溝１６ｂの間に位置する突出部１６ａとを備えるものとして形成されている。プレート本体１０の櫛歯状集束部１６に設けられた１２本の溝１６ｂは、整列された１２本の電線８０に対応して並設されている。
【００８３】
集められた１２本の電線８０は、前記櫛歯状集束部１６で折返されると共に、プレート本体１０の櫛歯状集束部１６に合成樹脂製の結束カバー４０が取付けられ、１２本の電線８０は、結束カバー４０上に沿わされると共に、結束バンド９０が用いられて、プレート本体１０に立設された電線案内部１９に一つのものとして束ねられる。
【００８４】
さらに、図１に示されるバッテリ接続プレート１の上側に、プレートカバー（図示せず）が組付けられる。また、バッテリ接続プレートにより各バッテリが一つのものとして構成された電池は、通常の電池として使用可能とされ、また、例えば電気自動車などに搭載される燃料電池などとして使用可能なものとされる。
【００８５】
【発明の効果】
以上の如く、請求項１記載の発明によれば、配列された各バッテリに装着されるプレート本体と、プレート本体に装備されると共に、バッテリと、電子部品とを接続する端子と、端子をプレート本体に装着させるカバーとを備え、バッテリと、電子部品との位置ずれを吸収する寸法差吸収部が端子に設けられ、カバーがプレート本体に装着されることで、プレート本体に端子が仮付けされるバッテリ接続プレートとされているから、バッテリと、電子部品との位置ずれは、端子に設けられた寸法差吸収部によって確実に吸収されることとなる。従って、端子にクラックが発生される心配のないバッテリ接続プレートが提供可能とされる。
【００８６】
請求項２記載の発明によれば、端子に設けられた寸法差吸収部は、端子本体に設けられた切欠き部と、端子本体から延設された可撓性脚部とを備えるものとして構成されているから、バッテリと、電子部品との位置ずれは、端子に設けられた可撓性脚部が撓まされることにより確実に吸収可能とされる。
【００８７】
請求項３記載の発明によれば、端子の一端側に寸法差吸収部を構成する可撓性脚部が設けられて、可撓性脚部に電子部品が接続され、端子の他端側に電気接触部を兼ねた端子本体が設けられて、端子本体にバッテリが接続されるから、端子本体にクラックが生じることなく、バッテリから端子を介して電子部品に至るまで、長期に亘って確実に通電可能に接続されることとなる。
【００８８】
請求項４記載の発明によれば、電子部品の一方のリード端子が端子と接続され、且つ、電子部品の他方のリード端子が他の端子と接続されて、端子から他の端子にかけて通電可能な状態とされるから、例えばバッテリから流される電気に変化が生じた際に、端子と、他の端子との間に介在される電子部品により、バッテリの状態が検知できることとなる。
【００８９】
請求項５記載の発明によれば、プレート本体にカバー収容部が設けられ、カバーに対応した他のカバーがカバー収容部内に装着され、他のカバー上に、端子の可撓性脚部と、他の端子とが位置すると共に、端子の可撓性脚部および他の端子が位置するカバー収容部にカバーが装着されることで、端子と、他の端子とが、プレート本体に装着されるから、端子と、他の端子とは、カバーと、他のカバーとの間に位置することとなる。従って、端子と、他の端子とは、カバーと、他のカバーとに囲まれて保護されることとなる。
【００９０】
請求項６記載の発明によれば、プレート本体のカバー収容部に停止部が設けられ、この停止部に他のカバーが当接されることで、プレート本体に他のカバーが装着されるから、他のカバーは、プレート本体のカバー収容部内に、位置決めされた状態で装着されることとなる。また、プレート本体のカバー収容部に設けられた停止部により、他のカバーがプレート本体から抜け落されて他のカバーが見失われるといった不具合の発生は、未然に防止されることとなる。
【００９１】
請求項７記載の発明によれば、プレート本体に係止部が設けられ、この係止部に対応してカバーに係合部が設けられ、プレート本体の係止部と、カバーの係合部とが係り合わされることで、プレート本体にカバーが装着されるから、プレート本体に対し、カバーは確実に装着されることとなる。また、プレート本体に設けられた係止部に、カバーに設けられた係合部が係り合わされることで、プレート本体と、カバーとの間に位置する端子は、プレート本体に仮組付けされた状態に維持されることとなる。
【００９２】
請求項８記載の発明によれば、端子と、電子部品とは、半田付けにより接続されているから、半田材により、端子と、電子部品とは、確実に繋ぎ止められて通電可能に接続されることとなる。また、バッテリと、電子部品との位置ずれは、端子に設けられた寸法差吸収部により良好に吸収されるから、端子と電子部品とを繋ぐ半田材が剥離されるということは、未然に防止されることとなる。
【００９３】
請求項９記載の発明によれば、他の端子と、電子部品とは、半田付けにより接続されているから、半田材により、他の端子と、電子部品とは、確実に繋ぎ止められると共に通電可能に接続されることとなる。
【００９４】
請求項１０記載の発明によれば、電子部品として、バッテリから発せられる過大電流に対応可能な過電流防止用抵抗素子が用いられているから、例えば、バッテリに充電が行われる際や、バッテリから電気が流される際に、バッテリに過電流が生じるなどの異常が発生されたことが、過電流防止用抵抗素子によって検出されることとなる。
【００９５】
請求項１１記載の発明によれば、各バッテリ間を接続し且つ端子と接続するバスバーがプレート本体に備えられ、バスバーの略中央に支点部が設けられると共に一対の電気接触部がバスバーに設けられ、バスバーの支点部に対応してプレート本体に支持部が設けられ、プレート本体にバスバーが載置されて、バスバーの支点部と、プレート本体の支持部とが合わせられた際に、バスバーの一方の電気接触部は、プレート本体の基壁に当接され、且つ、バスバーの他方の電気接触部は、プレート本体の基壁に対し非接触の状態とされているから、プレート本体が用いられると共に、バスバーを介して各バッテリ間が通電可能に接続される際に、各バッテリ間の寸法差は、プレート本体に備えられたバスバーによって確実に吸収されることとなる。従って、配列された各バッテリに対し、プレート本体は、容易に精度良く装着されると共に、バスバーにより、各バッテリ間は、確実に通電可能に接続されることとなる。
【００９６】
請求項１２記載の発明によれば、請求項１１記載のバッテリに、雄ねじ部を兼ねた電極が設けられ、この電極に対応して、請求項１１記載のプレート本体と、バスバーと、端子とに、挿通孔が設けられ、各挿通孔が合わせられると共に各挿通孔にバッテリの電極が通されて、雄ねじ部を兼ねた電極に雌ねじ部を備えるナットが螺合されることで、各バッテリに対しプレート本体が固定されると共に、端子と、バスバーとが、プレート本体に固定されるバッテリ接続プレートの取付構造とされているから、上記バッテリ接続プレートによって、各バッテリは、配列された状態で確実に組立てられると共に、各バッテリ間は、プレート本体に備えられたバスバーによって容易で確実に通電可能に接続され、しかも、電子部品と接続された端子がバッテリの電極に固定されることとなる。
また、電子部品が接続された端子と、この端子をプレート本体に装着させるカバーと、各バッテリ間を接続し且つ端子と接続するバスバーと、前記端子と、前記カバーと、前記バスバーとが装着されるプレート本体とを少なくとも備えるバッテリ接続プレートが用いられて、各バッテリが組立てられるから、各バッテリの組付け作業は、容易で迅速に行われることとなる。従って、各バッテリの組立工程の作業効率を向上させることができる。
【図面の簡単な説明】
【図１】本発明に係るバッテリ接続プレートの一実施形態を示す斜視図である。
【図２】同じくバッテリ接続プレートおよびその取付構造の一実施形態を示す縦断面図である。
【図３】端子を示す斜視図である。
【図４】カバーと他のカバーと電子部品とに関する他の実施形態を示す分解斜視図である。
【図５】同じくカバーと他のカバーとに端子が取付けられて電子部品が備えられる状態を示す縦断面図である。
【図６】図１に示されるＴ部の他の実施形態を示す拡大斜視図である。
【図７】従来のバッテリ接続プレートの一形態を示す斜視図である。
【符号の説明】
１　　　　　　　　バッテリ接続プレート
１０　　　　　　　プレート本体
１０ｂ　　　　　　基壁
１２　　　　　　　カバー収容部
１３　　　　　　　停止部
１４　　　　　　　係止部
１５，５５，６５　挿通孔
１８　　　　　　　支持部
２０，２０Ｉ　　　　上側カバー（カバー）
２４，２４Ｉ　　　　係合部
３０，３０Ｉ　　　　下側カバー（他のカバー）
５０Ａ，５０Ｂ　　バスバー
５１　　　　　　　電気接触部
５８　　　　　　　支点部
６０　　　　　　　端子
６１　　　　　　　端子本体（電気接触部）
６６　　　　　　　可撓性脚部（寸法差吸収部）
６７　　　　　　　切欠き部
７０　　　　　　　他の端子
１００　　　　　　ナット
１０５　　　　　　雌ねじ部
２１０，２２０　　過電流防止用抵抗素子（電子部品）
２１６，２２６　　一方のリード端子
２１７，２２７　　他方のリード端子
３００　　　　　　半田材
４００　　　　　　バッテリ
４０５　　　　　　雄ねじ部（電極）
【図１】
2004095381.tif 000003
【図２】
2004095381.tif 000004
【図３】
2004095381.tif 000005
【図４】
2004095381.tif 000006
【図５】
2004095381.tif 000007
【図６】
2004095381.tif 000008
【図７】
2004095381.tif 000009